(57)【要約】【課題】  画像読取装置の機種や機体に応じた設定を容易にする。【解決手段】  指示入力装置１０は、指示入力装置１０に入力される指示と、装置に依存しないコード体系に従って作成されたコードとを対応付けて記憶する変換テーブルを有している。画像読取装置３０に対する指示が指示入力装置１０に入力されると、指示入力装置１０は、この指示に対応するコードを変換テーブルから抽出し、抽出したコードを出力する。画像読取装置３０は、指示入力装置１０から出力されるコードと、指示入力装置１０に入力された指示に従った出力結果を自装置で得るための指示とを対応付けて記憶する逆変換テーブルを有している。画像読取装置３０は、指示入力装置１０から出力されたコードを取得し、このコードに対応する指示を逆変換テーブルから抽出し、抽出した指示に基づいて、原稿を読み取って原稿画像を表す原稿画像データを生成する。【選択図】        図１
2005354291.tif 000002
【特許請求の範囲】
【請求項１】
画像読取装置に対する指示を入力する入力手段と、
前記指示と、装置に依存しないコード体系に従って作成された共通コードとを対応付けて記憶する変換テーブルと、
前記入力手段によって入力された指示に対応する共通コードを前記変換テーブルから抽出する変換手段と、
前記変換手段によって抽出された共通コードを出力する出力手段と
を備えた指示入力装置と、
前記指示入力装置から出力された共通コードを取得する取得手段と、
前記共通コードと、前記指示入力装置に入力された指示に従った出力結果を自装置で得るための指示とを対応付けて記憶する逆変換テーブルと、
前記取得手段によって取得された共通コードに対応する指示を前記逆変換テーブルから抽出する逆変換手段と、
前記逆変換手段によって抽出された指示に基づいて、原稿を読み取って原稿画像を表す原稿画像データを生成する画像読取手段と
を有する画像読取装置と
を有することを特徴とする画像読取システム。
【請求項２】
前記指示入力装置は、前記変換手段によって出力された共通コードを文書に付されたＲＦＩＤタグに書き込む書込手段を有し、
前記画像読取装置は、前記文書に付されたＲＦＩＤタグに書き込まれている共通コードを読み取る読取手段を有する
ことを特徴とする請求項１に記載の画像読取システム。
【請求項３】
外部装置から出力された共通コードを取得する取得手段と、前記共通コードと、前記外部装置に入力された指示に従った出力結果を自装置で得るための指示とを対応付けて記憶する逆変換テーブルと、前記取得手段によって取得された共通コードに対応する指示を前記逆変換テーブルから抽出する逆変換手段と、前記逆変換手段によって抽出された指示に基づいて、原稿を読み取って原稿画像を表す原稿画像データを生成する画像読取手段とを有する画像読取装置に対する指示を入力する入力手段と、
前記指示と、装置に依存しないコード体系に従って作成された共通コードとを対応付けて記憶する変換テーブルと、
前記入力手段によって入力された指示に対応する共通コードを前記変換テーブルから抽出する変換手段と、
前記変換手段によって抽出された共通コードを出力する出力手段と
を有することを特徴とする指示入力装置。
【請求項４】
画像読取装置に対する指示を入力する入力手段と、前記指示と、装置に依存しないコード体系に従って作成された共通コードとを対応付けて記憶する変換テーブルと、前記入力手段によって入力された指示に対応する共通コードを前記変換テーブルから抽出する変換手段と、前記変換手段によって抽出された共通コードを出力する出力手段とを備えた指示入力装置から出力された共通コードを取得する取得手段と、
前記共通コードと、前記指示入力装置に入力された指示に従った出力結果を自装置で得るための指示とを対応付けて記憶する逆変換テーブルと、
前記取得手段によって取得された共通コードに対応する指示を前記逆変換テーブルから抽出する逆変換手段と、
前記逆変換手段によって抽出された指示に基づいて、原稿を読み取って原稿画像を表す原稿画像データを生成する画像読取手段と
を有することを特徴とする画像読取装置。
【請求項５】
画像読取装置に対する指示を入力する入力ステップと、
前記指示と、装置に依存しないコード体系に従って作成された共通コードとを対応付けて記憶する変換テーブルから、前記入力手段によって入力された指示に対応する共通コードを抽出する変換ステップと、
前記変換ステップによって抽出された共通コードを出力する出力ステップと、
前記出力ステップで出力された共通コードを取得する取得ステップと、
前記共通コードと、前記指示に従った出力結果を得るための指示とを対応付けて記憶する逆変換テーブルから、前記取得ステップで取得された共通コードに対応する指示を抽出する逆変換ステップと、
前記逆変換ステップによって抽出された指示に基づいて、原稿を読み取って原稿画像を表す原稿画像データを生成する画像読取ステップと
を有することを特徴とする画像読取方法。
【請求項６】
情報処理装置を、
外部装置から出力された共通コードを取得する取得手段と、前記共通コードと、前記外部装置に入力された指示に従った出力結果を自装置で得るための指示とを対応付けて記憶する逆変換テーブルと、前記取得手段によって取得された共通コードに対応する指示を前記逆変換テーブルから抽出する逆変換手段と、前記逆変換手段によって抽出された指示に基づいて、原稿を読み取って原稿画像を表す原稿画像データを生成する画像読取手段とを有する画像読取装置に対する指示を入力する入力手段と、
前記指示と、装置に依存しないコード体系に従って作成された共通コードとを対応付けて記憶する変換テーブルと、
前記入力手段によって入力された指示に対応する共通コードを前記変換テーブルから抽出する変換手段と、
前記変換手段によって抽出された共通コードを出力する出力手段
として機能させるためのプログラム。
【請求項７】
情報処理装置を、
画像読取装置に対する指示を入力する入力手段と、前記指示と、装置に依存しないコード体系に従って作成された共通コードとを対応付けて記憶する変換テーブルと、前記入力手段によって入力された指示に対応する共通コードを前記変換テーブルから抽出する変換手段と、前記変換手段によって抽出された共通コードを出力する出力手段とを備えた指示入力装置から出力された共通コードを取得する取得手段と、
前記共通コードと、前記指示入力装置に入力された指示に従った出力結果を自装置で得るための指示とを対応付けて記憶する逆変換テーブルと、
前記取得手段によって取得された共通コードに対応する指示を前記逆変換テーブルから抽出する逆変換手段と、
前記逆変換手段によって抽出された指示に基づいて、原稿を読み取って原稿画像を表す原稿画像データを生成する画像読取手段
として機能させるためのプログラム。
【発明の詳細な説明】
【技術分野】
【０００１】
本発明は、画像読取装置を用いて所望の画像を得るための技術に関する。
【背景技術】
【０００２】
近年の画像処理技術の進歩は目覚しく、ユーザからの要望に応えるために多様な機能を有する複写機やスキャナが開発され供給されている。また、求められる機能の種類や性能に応じて、製造者は多種多様な機種を取り揃えて市場に供給している。このように装置の機能や性能が多様化してくると、機種によってその出力結果が異なるという事態が生じることがある。例えば、両面印刷されたページと片面印刷されたページが混在する原稿の場合、機種Ａでは両面の読み取りを指示すると白紙ページの画像データを生成しないのに対して、機種Ｂは白紙ページの画像データも生成してしまうといった違いが生じたりする。この場合、機種Ｂを用いるユーザは、片面印刷されたページは片面のみ読み取らせるように片面読み取りと両面読み取りのページを指定する作業を行うことが必要になる。
【０００３】
また、機種によって濃度等の入出力特性が異なることがあり、このような場合、同一の原稿を読み取らせたにも関わらず出力結果が異なってしまう。また、同一の機種であっても入出力特性に個体差がある場合もある。さらには、同一の機体であっても経年変化などによって、入出力特性が変化している場合もある。このような場合に、ユーザは、使用する機種あるいは機体毎に、所望の画像を得るための設定変更を行うことが必要になる。
簡単な操作で装置の設定変更を行うための技術が提案されている。例えば特許文献１に記載の技術では、テンキーなどの入力手段を備えない簡易な構成のファクシミリ装置において、ユーザに装置の設定を選択・記入させるためのマークシートをファクシミリ装置が印刷し、このマークシートに対してユーザが所望の設定項目の欄にチェックマークを記入する。そして、再度このマークシートをファクシミリ装置に読み取らせることによって、ユーザが所望の設定を行うことができるようになっている。
しかしながら、特許文献１に記載の技術を用いたとしても、ユーザがその機種に応じた設定変更を指示することが必要であることには変わりがなく、この点でユーザの負担が軽減されたとはいい難い。
【特許文献１】特開平８−３３１３１１号公報
【発明の開示】
【発明が解決しようとする課題】
【０００４】
本発明は、上述した背景の下になされたものであり、画像読取装置の機種や機体に応じた設定を容易に行うことのできる技術の提供を目的とする。
【課題を解決するための手段】
【０００５】
上述の課題を解決するために、本発明は、画像読取装置に対する指示を入力する入力手段と、前記指示と、装置に依存しないコード体系に従って作成された共通コードとを対応付けて記憶する変換テーブルと、前記入力手段によって入力された指示に対応する共通コードを前記変換テーブルから抽出する変換手段と、前記変換手段によって抽出された共通コードを出力する出力手段とを備えた指示入力装置と、前記指示入力装置から出力された共通コードを取得する取得手段と、前記共通コードと、前記指示入力装置に入力された指示に従った出力結果を自装置で得るための指示とを対応付けて記憶する逆変換テーブルと、前記取得手段によって取得された共通コードに対応する指示を前記逆変換テーブルから抽出する逆変換手段と、前記逆変換手段によって抽出された指示に基づいて、原稿を読み取って原稿画像を表す原稿画像データを生成する画像読取手段とを有する画像読取装置とを有することを特徴とする画像読取システムを提供する。
【０００６】
上記の画像読取システムによれば、画像読取装置に対する指示が指示入力装置に入力されると、指示入力装置は、この指示に対応する共通コードを変換テーブルから抽出し、抽出した共通コードを出力する。次に、画像読取装置は、指示入力装置から出力された共通コードを取得する。そして、この共通コードに対応する指示を逆変換テーブルから抽出し、抽出した指示に基づいて、原稿を読み取って原稿画像を表す原稿画像データを生成する。
【０００７】
上記の画像読取システムにおいては、前記指示入力装置は、前記変換手段によって出力された共通コードを文書に付されたＲＦＩＤタグに書き込む書込手段を有し、前記画像読取装置は、前記文書に付されたＲＦＩＤタグに書き込まれている共通コードを読み取る読取手段を有することが好ましい。
【０００８】
また、本発明は、外部装置から出力された共通コードを取得する取得手段と、前記共通コードと、前記外部装置に入力された指示に従った出力結果を自装置で得るための指示とを対応付けて記憶する逆変換テーブルと、前記取得手段によって取得された共通コードに対応する指示を前記逆変換テーブルから抽出する逆変換手段と、前記逆変換手段によって抽出された指示に基づいて、原稿を読み取って原稿画像を表す原稿画像データを生成する画像読取手段とを有する画像読取装置に対する指示を入力する入力手段と、前記指示と、装置に依存しないコード体系に従って作成された共通コードとを対応付けて記憶する変換テーブルと、前記入力手段によって入力された指示に対応する共通コードを前記変換テーブルから抽出する変換手段と、前記変換手段によって抽出された共通コードを出力する出力手段とを有することを特徴とする指示入力装置を提供する。
【０００９】
また、本発明は、画像読取装置に対する指示を入力する入力手段と、前記指示と、装置に依存しないコード体系に従って作成された共通コードとを対応付けて記憶する変換テーブルと、前記入力手段によって入力された指示に対応する共通コードを前記変換テーブルから抽出する変換手段と、前記変換手段によって抽出された共通コードを出力する出力手段とを備えた指示入力装置から出力された共通コードを取得する取得手段と、前記共通コードと、前記指示入力装置に入力された指示に従った出力結果を自装置で得るための指示とを対応付けて記憶する逆変換テーブルと、前記取得手段によって取得された共通コードに対応する指示を前記逆変換テーブルから抽出する逆変換手段と、前記逆変換手段によって抽出された指示に基づいて、原稿を読み取って原稿画像を表す原稿画像データを生成する画像読取手段とを有することを特徴とする画像読取装置を提供する。
【００１０】
また、本発明は、画像読取装置に対する指示を入力する入力ステップと、前記指示と、装置に依存しないコード体系に従って作成された共通コードとを対応付けて記憶する変換テーブルから、前記入力手段によって入力された指示に対応する共通コードを抽出する変換ステップと、前記変換ステップによって抽出された共通コードを出力する出力ステップと、前記出力ステップで出力された共通コードを取得する取得ステップと、前記共通コードと、前記指示に従った出力結果を得るための指示とを対応付けて記憶する逆変換テーブルから、前記取得ステップで取得された共通コードに対応する指示を抽出する逆変換ステップと、前記逆変換ステップによって抽出された指示に基づいて、原稿を読み取って原稿画像を表す原稿画像データを生成する画像読取ステップとを有することを特徴とする画像読取方法を提供する。
【００１１】
また、本発明は、情報処理装置を、外部装置から出力された共通コードを取得する取得手段と、前記共通コードと、前記外部装置に入力された指示に従った出力結果を自装置で得るための指示とを対応付けて記憶する逆変換テーブルと、前記取得手段によって取得された共通コードに対応する指示を前記逆変換テーブルから抽出する逆変換手段と、前記逆変換手段によって抽出された指示に基づいて、原稿を読み取って原稿画像を表す原稿画像データを生成する画像読取手段とを有する画像読取装置に対する指示を入力する入力手段と、前記指示と、装置に依存しないコード体系に従って作成された共通コードとを対応付けて記憶する変換テーブルと、前記入力手段によって入力された指示に対応する共通コードを前記変換テーブルから抽出する変換手段と、前記変換手段によって抽出された共通コードを出力する出力手段として機能させるためのプログラムを提供する。
【００１２】
また、本発明は、情報処理装置を、画像読取装置に対する指示を入力する入力手段と、前記指示と、装置に依存しないコード体系に従って作成された共通コードとを対応付けて記憶する変換テーブルと、前記入力手段によって入力された指示に対応する共通コードを前記変換テーブルから抽出する変換手段と、前記変換手段によって抽出された共通コードを出力する出力手段とを備えた指示入力装置から出力された共通コードを取得する取得手段と、前記共通コードと、前記指示入力装置に入力された指示に従った出力結果を自装置で得るための指示とを対応付けて記憶する逆変換テーブルと、前記取得手段によって取得された共通コードに対応する指示を前記逆変換テーブルから抽出する逆変換手段と、前記逆変換手段によって抽出された指示に基づいて、原稿を読み取って原稿画像を表す原稿画像データを生成する画像読取手段として機能させるためのプログラムを提供する。
【発明の効果】
【００１３】
本発明によれば、画像読取装置の機種や機体に応じた設定を容易に行うことができる。
【発明を実施するための最良の形態】
【００１４】
以下、図面を参照して、本発明の実施形態について説明する。
＜構成＞
図１は、本発明の全体構成を示す図である。本発明にかかる画像読取システムの主要な構成要素は、指示入力装置１０と画像読取装置３０である。
図１０は、指示入力装置１０のハードウェア構成を示す図である。指示入力装置１０は、ＣＰＵ（Central Processing Unit）１１、ＲＯＭ（Read Only Memory）１２、ＲＡＭ（Random Access Memory）１３、ＨＤＤ（Hard Disk Drive）１４、外部Ｉ／Ｆ（Interface）１５、キーボード１６、マウス１７、ディスプレイ１８等を備えたコンピュータ装置である。指示入力装置１０には、外部Ｉ／Ｆ１５を介してタグライタ２０が接続されており、ＲＦＩＤ（Radio Frequency Identification）タグにデータを書き込むことができる。
図２は、指示入力装置１０の機能構成を示す図である。指示入力装置１０は、ＲＯＭ１２またはＨＤＤ１４に記憶されたプログラムをＣＰＵ１１が実行することにより、図２に示した各手段として機能する。
【００１５】
入力手段１０１は、ユーザが画像読取装置３０に対する指示を入力する手段であり、キーボード１６、マウス１７からなる。
変換テーブル１０２は、画像読取装置３０に対する指示と、装置に依存しないコード体系に従って作成された共通コードとを対応付けて記憶する。変換テーブル１０２は、ＲＯＭ１２またはＨＤＤ１４に記憶されている。この共通コードは、装置の機種や機体に依存しないコードであり、ユーザが入力する指示に対応する固有のビット列が定められている。図８は変換テーブル１０２に記憶されているデータの例を示す図である。
【００１６】
変換手段１０３は、入力手段１０１によって入力された指示に対応する共通コードを変換テーブル１０２から抽出する手段である。
変換手段１０３によって抽出された共通コードは、出力手段１０４によって出力される。具体的には、抽出された共通コードは、外部Ｉ／Ｆ１５を介してタグライタ２０に送られ、タグライタ２０によってＲＦＩＤタグに書き込まれる。このＲＦＩＤタグは、画像読取装置３０で読み取る原稿に付されている。ＲＦＩＤタグは、書き込まれたデータを保持する不揮発性の半導体メモリとアンテナ（図示省略）からなり、外部の機器との間でマイクロ波、誘導電磁界等を用いて通信を行うことができる。原稿にＲＦＩＤタグを付す方法はいかなる方法を用いてもよい。例えば、粘着性を有する材料で両者を接着してもよい。また、プリント基板の印刷と同様の方法により予めＲＦＩＤタグが形成された用紙、あるいは紙の繊維の間にＲＦＩＤタグが埋め込まれた用紙などを用いて原稿を作成しておいてもよい。
【００１７】
図１１は、画像読取装置３０の構成を示す図である。画像読取装置３０は、ＣＰＵ３１、ＲＯＭ３２、ＲＡＭ３３、ＨＤＤ３４、外部Ｉ／Ｆ３５、スキャナ３６、キーボード３７等を備えている。画像読取装置３０には、外部Ｉ／Ｆ３５を介してタグリーダ４０が接続されており、ＲＦＩＤタグに書き込まれているデータを読み取ることができる。
図３は、画像読取装置３０の機能構成を示す図である。画像読取装置３０は、ＲＯＭ３２またはＨＤＤ３４に記憶されたプログラムをＣＰＵ３１が実行することにより、図３に示した各手段として機能する。
取得手段３０１は、指示入力装置１０から出力された共通コードを取得する手段である。具体的には、原稿に付されたＲＦＩＤタグに書き込まれている共通コードをタグリーダ４０を用いて読み取る。
【００１８】
逆変換テーブル３０２は、共通コードと、指示入力装置１０に入力された指示に従った出力結果を自装置で得るための指示とを対応付けて記憶する。逆変換テーブル３０２は、ＲＯＭ３２またはＨＤＤ３４に記憶されている。図９は、逆変換テーブル３０２に記憶されているデータの例を示す図である。
ここで、変換テーブル１０２に記憶されている指示と逆変換テーブル３０２に記憶されている指示との対応について説明する。本実施形態の画像読取装置３０は、両面読み取りと片面読み取りのページを指定する機能を持たない装置である。つまり、画像読取装置３０は、両面読み取りを指示した場合、片面原稿が混在していたとしてもすべて両面読み取りを行う。また、本実施形態の画像読取装置３０は、白紙ページの画像データを削除する機能を持つ。
【００１９】
図７は、変換テーブル１０２に記憶されている指示と逆変換テーブル３０２に記憶されている指示との対応を示す図である。Ｎｏ．１の例では、ユーザによって入力された指示が「片面スキャン」＋「両面スキャン」であるとすると、逆変換後の指示は、「両面スキャン」＋「白紙除去」となる。上記の変換を行うことによって、両面原稿に混在する片面原稿に対して片面読み取りを行ったのと同じ出力結果を得ることができるようになる。
Ｎｏ．２の例では、ユーザによって「読み取り濃度ｎ」の指示が入力された場合に、逆変換後の指示は「読み取り濃度ｎ＋α」となる。ここで、画像読取装置３０に読み取り濃度ｎを指示した場合に実際に画像読取装置３０で読み取られて出力される画像の濃度はｎ−αである。すなわち、αは、画像読取装置３０の入出力特性を補正するための補正値であり、読み取り濃度をｎ＋αと指示することによって、濃度ｎの画像が得られることになる。なお、この補正値は、標準原稿を画像読取装置３０で読み取って生成された原稿画像の濃度と標準原稿の濃度とを比較することにより予め求めておく。
【００２０】
逆変換手段３０３は、取得手段３０１によって取得された共通コードに対応する指示を逆変換テーブル３０２から抽出する手段である。
画像読取手段３０４は、逆変換手段３０３によって抽出された指示に基づいて、原稿を読み取って原稿画像を表す原稿画像データを生成して出力する手段である。画像読取手段３０４は、具体的には、スキャナ３６であり、スキャナ３６の図示せぬプラテンガラス上に載置された原稿を光学的に読み取り、原稿画像データを生成する。生成された原稿画像データは図示せぬプリンタに出力され、この原稿画像データに基づいて用紙表面に画像が形成される。あるいは、原稿画像データをＨＤＤ３４または図示せぬ外部記憶装置に蓄積するようにしてもよい。
【００２１】
＜動作＞
次に指示入力装置１０と画像読取装置３０の動作について説明する。なお、両者はともに、ＣＰＵがプログラムを実行することによって動作する装置であるから、動作の主体はＣＰＵ１１およびＣＰＵ３１となる。
図４は、指示入力装置１０のディスプレイ１８に表示される入力画面を示す図である。図４（ａ）は、指示する項目を指定するための画面である。画面の左側の欄には、「指示可能な処理」が表示される。ユーザは、マウス１７を用いて所望の項目をクリックし、右矢印のボタンをクリックする。すると、「実行する処理」の欄にユーザが選択した項目が表示される。同図では、「実行：両面読み取り」と「設定：濃度設定」が選択されている。項目を削除する場合にはその項目をクリックした後、左矢印のボタンをクリックする。
【００２２】
次に、ユーザは、選択した項目に対して詳細設定を行う。ここでは、濃度の詳細設定について説明する。まず、ユーザは「設定：濃度設定」を１７でダブルクリックする。すると、図４（ｂ）に示す画面が表示される。対象とするページは、「全ページ」と「指定ページ」とから選択することができる。この例では、指定ページに対して濃度設定を行う。ユーザは、「指定ページ」をマウス１７でチェックし、ページ数をキーボード１６を用いて入力する。画像濃度は、「自動」と「指定濃度」とから選択することができる。この例では、「指定濃度」を選択し、右側の欄に濃度値を入力する。
入力が終わったならば、画面右下の「登録」ボタンをクリックする。すると、図４（ａ）の画面に戻る。そして、画面右側の「登録」ボタンをクリックすることによって指示の入力が完了する。
【００２３】
図５は、指示入力装置１０が行う処理のフローを示す図である。ステップＡ０１では、指示入力装置１０のＣＰＵ１１が指示の入力を受け付ける。ステップＡ０２において、指示の追加がある場合（ステップＡ０２：ＹＥＳ）にはステップＡ０７へ進み、詳細設定の入力を受け付け、ステップＡ０８では、指示リストへ追加する。
ステップＡ０２で指示の追加がない場合（ステップＡ０２：ＮＯ）には、ステップＡ０３へ進み、指示の削除がある場合（ステップＡ０３：ＹＥＳ）には、ステップＡ０９へ進み、指示リストから該当する指示を削除する。指示の削除がない場合には、ステップＡ０４へ進み、指示を登録する場合（ステップＡ０４：ＹＥＳ）にはステップＡ０５へ進む。登録しない場合（ステップＡ０４：ＮＯ）には、ステップＡ０１へ戻る。
ステップＡ０５では、指示リスト中の各指示を共通コードに変換する。そして、ステップＡ０６では、共通コードを外部Ｉ／Ｆ１５を介してタグライタ２０に送り、共通コードを原稿に付されたＲＦＩＤタグに書き込む。
【００２４】
次に、画像読取装置３０の動作について説明する。図６は、画像読取装置３０が行う処理のフローを示す図である。ステップＢ０１では、画像読取装置３０のＣＰＵ３１は、タグリーダ４０を用いて、原稿に付されたＲＦＩＤタグに書き込まれているデータを読み取り、共通コードを抽出する。ステップＢ０２では、ＲＦＩＤタグから読み取った共通コードを逆変換テーブル３０２を用いて指示に変換する。ステップＢ０３では、すべての共通コードについて処理が行われたか否かを判定し、未処理の共通コードが残っている場合（ステップＢ０３：ＮＯ）にはステップＢ０２に戻る。すべての共通コードに対して処理が行われた場合（ステップＢ０３：ＹＥＳ）には、処理を終了する。
【００２５】
以上説明したように、本発明によれば、画像読取装置３０の機種や機体に応じた設定を容易に行うことができる。機種や機体に応じた設定内容は、指示入力装置１０の変換テーブル１０２および画像読取装置３０の逆変換テーブル３０２によって定められるから、ユーザは、機種や機体ごとの機能や入出力特性を把握しておく必要がない。
【００２６】
＜変形例＞
以上説明した形態に限らず、本発明は種々の形態で実施可能である。例えば、上述の実施形態を以下のように変形した形態でも実施可能である。
上述の実施形態では、画像読取装置３０に本発明を適用した例を示したが、画像読取装置３０とプリンタ等の画像形成機能を備えた複写機、あるいはこの複写機とファクシミリ装置などを備えた複合機などに適用してもよい。
【００２７】
上述の実施形態では、共通コードの記憶媒体として原稿に付されたＲＦＩＤタグを用いる例を示したが、原稿にバーコード、２次元バーコード等を印刷あるいは貼付することによって共通コードを記録してもよい。この場合、指示入力装置１０にはタグライタ２０の代わりにバーコードを印刷する印刷装置を接続し、画像読取装置３０にはタグリーダ４０の代わりにバーコードを読み取るバーコードリーダを接続しておく。
【図面の簡単な説明】
【００２８】
【図１】本発明の全体構成を示す図である。
【図２】指示入力装置１０の機能構成を示す図である。
【図３】画像読取装置３０の機能構成を示す図である。
【図４】ディスプレイ１８に表示される入力画面を示す図である。
【図５】指示入力装置１０が行う処理のフローを示す図である。
【図６】画像読取装置３０が行う処理のフローを示す図である。
【図７】変換テーブル１０２に記憶されている指示と逆変換テーブル３０２に記憶されている指示との対応を示す図である。
【図８】変換テーブル１０２に記憶されているデータの例を示す図である。
【図９】逆変換テーブル３０２に記憶されているデータの例を示す図である。
【図１０】指示入力装置１０のハードウェア構成を示す図である。
【図１１】画像読取装置３０のハードウェア構成を示す図である。
【符号の説明】
【００２９】
１０…指示入力装置、１１…ＣＰＵ、１２…ＲＯＭ、１３…ＲＡＭ、１４…ＨＤＤ、１５…外部Ｉ／Ｆ、１６…キーボード、１７…マウス、１８…ディスプレイ、２０…タグライタ、１０１…入力手段、１０２…変換テーブル、１０３…変換手段、３０…画像読取装置、３１…ＣＰＵ、３２…ＲＯＭ、３３…ＲＡＭ、３４…ＨＤＤ、３５…外部Ｉ／Ｆ、３６…スキャナ、４０…タグリーダ、３０１…取得手段、３０２…逆変換テーブル、３０３…逆変換手段、３０４…画像読取手段。
【図１】
2005354291.tif 000003
【図２】
2005354291.tif 000004
【図３】
2005354291.tif 000005
【図４】
2005354291.tif 000006
【図５】
2005354291.tif 000007
【図６】
2005354291.tif 000008
【図７】
2005354291.tif 000009
【図８】
2005354291.tif 000010
【図９】
2005354291.tif 000011
【図１０】
2005354291.tif 000012
【図１１】
2005354291.tif 000013